(57)【要約】【課題】使用寿命が長くて、切替機能が安定かつ確実であるボタン切替式シャワーヘッド装置を提供する。【解決手段】本発明は、ボタン切替式シャワーヘッド装置を開示し、当該ボタン切替式シャワーヘッド装置は、シャワーヘッド本体、給水座、ボタン、押しロッド、押しブロック、復帰ばね、ラチェット、分水盤及び吐水部を含み、前記ボタンが押しロッドを移動させるように押し、押しロッドが押しブロックを連動して移動させてラチェットを回動するように駆動し、そしてラチェットが分水盤を連動して同期に回動し吐水部に係合して水路の切替を行う。本発明は、給水座にガイド溝を配置することで押しブロックがラチェットにガイド溝のガイド面方向に沿って力しか作用しないため、使用寿命が長くて、切替機能が安定かつ確実である。【選択図】図１
2020018829.tif 000002
【特許請求の範囲】
【請求項１】
シャワーヘッド本体、給水座、ボタン、押しロッド、押しブロック、復帰ばね、ラチェット、分水盤及び吐水部を含むボタン切替式シャワーヘッド装置であって、
前記給水座はシャワーヘッド本体に固定されており、前記給水座には、上下に貫通する穿孔及び前記シャワーヘッド本体の給水端に連通された給水口が配置されており、前記給水座の上面には、前記穿孔に近接する側にガイド面を有するガイド溝が配置されており、
前記吐水部は、前記シャワーヘッド本体の吐水端に取り付けられているとともに前記給水座の下に位置しており、少なくとも二つの機能水室が配置されており、
前記ラチェットは、前記穿孔と同軸に前記給水座の上面に回動自在に配置されており、前記分水盤は、前記給水座と前記吐水部との間に回動自在に配置されているとともに、前記穿孔を貫通する回転軸を介して前記ラチェットと同軸に連結されており、前記分水盤には前記各機能水室の給水口と移動可能に連通する分水口が配置されており、
前記押しロッドは、前記給水座の上面に移動可能に配置されており、前記押しロッドには側方取り付け溝が形成されており、前記復帰ばねは、前記押しロッドと前記給水座との間に配置されており、前記押しブロックは、前記側方取り付け溝に挿入されて、前記ラチェットのラチェット歯と係止するように移動し、前記押しブロックは前記ガイド溝に係合されたガイド柱を備え、前記ガイド柱は、側壁が前記ガイド面に移動可能に当接されており、前記ボタンは、前記シャワーヘッド本体に移動可能に配置されているとともに、前記押しロッドと連動するように該押しロッドと連結されている
ことを特徴とするボタン切替式シャワーヘッド装置。
【請求項２】
前記給水座の上面には、前記押しロッドを進退自在に挿入させるためのガイド孔が配置されている
ことを特徴とする請求項１に記載のボタン切替式シャワーヘッド装置。
【請求項３】
前記押しロッドの一方側には、柱体が形成されたバンプが配置されており、前記給水座の上面にはストッパが配置されており、前記復帰ばねは、前記柱体に外嵌されており、前記復帰ばねの両端がそれぞれ前記バンプ及び前記ストッパに押し付けられている
ことを特徴とする請求項１に記載のボタン切替式シャワーヘッド装置。
【請求項４】
前記分水盤の底部には、第一の一方向ガイドレールが配置されており、前記吐水部の頂部には前記第一の一方向ガイドレールと一方向に噛合する第二の一方向ガイドレールが配置されている
ことを特徴とする請求項１に記載のボタン切替式シャワーヘッド装置。
【請求項５】
前記分水盤が前記給水座の下に上下移動可能に配置されており、前記分水盤と前記給水座との間に調整ばねが配置されており、前記第一の一方向ガイドレールは、前記分水盤の底面に円周状に並ぶように形成された複数の第一斜歯を含み、前記第二の一方向ガイドレールは、前記吐水部の上面に円周状に並ぶように形成されているとともに、前記複数の第一斜歯と一方向に噛合する複数の第二斜歯を含む
ことを特徴とする請求項４に記載のボタン切替式シャワーヘッド装置。
【請求項６】
前記ボタンが前記給水座にヒンジされており、前記シャワーヘッド本体に、前記ボタンを露出させるための開口部が形成されており、前記給水座には揺動ブロックがヒンジされており、前記揺動ブロックは、一端が前記ボタンに当接されており、他端が前記押しロッドの一端に当接されている
ことを特徴とする請求項１に記載のボタン切替式シャワーヘッド装置。
【請求項７】
前記押しブロックと前記側方取り付け溝との間に押しブロック用ばねが配置されている
ことを特徴とする請求項１に記載のボタン切替式シャワーヘッド装置。
【請求項８】
前記給水座と前記吐水部とが連結されており、前記給水座と前記吐水部との間に通水室が形成されており、前記給水座の給水口と前記通水室とが連通されており、前記分水盤が前記通水室に位置している
ことを特徴とする請求項１に記載のボタン切替式シャワーヘッド装置。
【請求項９】
前記ガイド面が前記穿孔と同軸に配置された円弧面であることを特徴とする請求項１に記載のボタン切替式シャワーヘッド装置。
【発明の詳細な説明】
【技術分野】
【０００１】
本発明は浴用装置分野に関し、特にボタン切替式シャワーヘッド装置に関する。
【背景技術】
【０００２】
従来の手持ち式シャワーヘッドは、通常、散水板を回転することで吐水状態を切替える。しかしながら、これは相対する力を両手でそれぞれかける必要があるため、操作は面倒であり、片手で操作することはできない。
【０００３】
シャワーヘッドの吐水状態の切替を片手で容易に操作するように、１つのボタンで吐水状態を切替えるシングルボタン切替シャワーヘッドが市販されている。図１２に示したように、具体的には、前記シングルボタン切替シャワーヘッドにおいて、ボタン１’が押しロッド２’を移動させるように駆動し、前記押しロッド２’には、押しブロック３’及び第一ばね４’が配置されており、前記押しブロック３’がシャワーヘッドにおけるラチェット５’を一方向に回動させるように駆動し、前記ラチェット５’がシャワーにおける分水盤と同期に回動する。使用の時、ボタン１’を押圧して押しロッド２’を移動させるように駆動し、そして押しロッド２’が押しブロック３’を連動して移動させ、押しブロック３’がラチェット５’を回動させるように駆動する。これによって、分水盤を回動させて分水盤の分水孔が吐水部の異なる給水孔と移動可能に連通し、吐水状態の切替を実現する。ボタン１’の押圧が終わると、押しロッド２’が第一ばね４’の作用により逆方向に移動して初期位置に戻らせて、押しブロック３’を連動して逆方向に移動して初期位置に戻らせる。しかしながら、位置規制手段がないため、通常、ボタン１’が押しブロック３’を移動させるように駆動して該押しブロック３’がラチェット５’から離れるまで、ラチェット５’が分水盤を連動して切替を完了することができない。このように押すときの感触が良くない。
【０００４】
押しブロック３’が初期位置に戻ってもラチェット５’のラチェット歯に係止でき前記押しブロック３’がラチェット５’を連動して回動させることを確保するように、前記押しブロック３’が押しロッド２’に移動可能に配置されており、押しブロック３’と押しロッド２’との間に第二ばね６’を備え、押しブロック３’をラチェット５’に常に押し付けるように、第二ばね６’を押しブロック３’に押し付けるように配置されている。しかしながら、第二ばね６’を配置することで押しブロック３’がラチェット５’に常に押し付けられるため、押しブロック３’が移動してラチェット５’のラチェット歯と係止する過程において、押しブロック３’とラチェット５’とが摩擦し、押しブロック３’およびラチェット５’が摩耗しやすくなり、シャワーヘッドの切り替え機能が失効する恐れがあり、使用寿命が長くならない。更に、押しロッド２’及び第二ばね６’により、ラチェット５’が、回動している間に、押しブロック３’から２つの互いに垂直する圧力を受ける。第一圧力は、押しロッド２’が押しブロック３’を順方向に移動させるように押すことで押しブロック３’により発生された圧力であり、第二圧力は、第二ばね６’を押しブロック３’に押し付けることで押しブロック３’により発生された圧力である。前記２つの圧力の合力がラチェット５’の径方向に沿う可能性があり、押しブロック３’がラチェット５’を回動させるようにラチェット５’を押すことができず、ラチェット５’が動かなくなってしまう。この場合、押しロッド２’に加える力を変えなければ、押しブロック３’がラチェット５’を押して回動させることができない。従って、従来のシングルボタン切替シャワーヘッドは、使用寿命が短いことに加えて、切替が安定しないという欠点がある。
【発明の概要】
【発明が解決しようとする課題】
【０００５】
本発明は、使用寿命が長くて、切替機能が安定かつ確実であるボタン切替式シャワーヘッド装置を提供することを目的とする。
【課題を解決するための手段】
【０００６】
上記の目的を達成するために、本発明のボタン切替式シャワーヘッド装置は、シャワーヘッド本体、給水座、ボタン、押しロッド、押しブロック、復帰ばね、ラチェット、分水盤及び吐水部を含み、前記給水座はシャワーヘッド本体に固定されており、前記給水座には、上下に貫通する穿孔及び前記シャワーヘッド本体の給水端に連通された給水口が配置されており、前記給水座の上面には、前記穿孔に近接する側にガイド面を有するガイド溝が配置されており、前記吐水部は、前記シャワーヘッド本体の吐水端に取り付けられているとともに前記給水座の下に位置しており、少なくとも二つの機能水室が配置されており、前記ラチェットは、前記穿孔と同軸に前記給水座の上面に回動自在に配置されており、前記分水盤は、前記給水座と前記吐水部との間に回動自在に配置されているとともに、前記穿孔を貫通する回転軸を介して前記ラチェットと同軸に連結されており、前記分水盤には前記各機能水室の給水口と移動可能に連通する分水口が配置されており、前記押しロッドは、前記給水座の上面に移動可能に配置されており、前記押しロッドには側方取り付け溝が形成されており、前記復帰ばねは、前記押しロッドと前記給水座との間に配置されており、前記押しブロックは、前記側方取り付け溝に挿入されて、前記ラチェットのラチェット歯と係止するように移動し、前記押しブロックは前記ガイド溝に係合されたガイド柱を備え、前記ガイド柱は、側壁が前記ガイド面に移動可能に当接されており、前記ボタンは、前記シャワーヘッド本体に移動可能に配置されているとともに、前記押しロッドと連動するように該押しロッドと連結されている。
【０００７】
本発明の一実施形態においては、前記給水座の上面には、前記押しロッドを進退自在に挿入させるためのガイド孔が配置されている。
【０００８】
本発明の他の実施形態においては、前記押しロッドの一方側には、柱体が形成されたバンプが配置されており、前記給水座の上面にはストッパが配置されており、前記復帰ばねは、前記柱体に外嵌されており、前記復帰ばねの両端がそれぞれ前記バンプ及び前記ストッパに押し付けられている。
【０００９】
本発明の他の実施形態においては、前記分水盤の底部には、第一の一方向ガイドレールが配置されており、前記吐水部の頂部には前記第一の一方向ガイドレールと一方向に噛合する第二の一方向ガイドレールが配置されている。
【００１０】
本発明の他の実施形態においては、前記分水盤が前記給水座の下に上下移動可能に配置されており、前記分水盤と前記給水座との間に調整ばねが配置されており、前記第一の一方向ガイドレールは、前記分水盤の底面に円周状に並ぶように形成された複数の第一斜歯を含み、前記第二の一方向ガイドレールは、前記吐水部の上面に円周状に並ぶように形成されているとともに、前記複数の第一斜歯と一方向に噛合する複数の第二斜歯を含む。
【００１１】
本発明の他の実施形態においては、前記ボタンが前記給水座にヒンジされており、前記シャワーヘッド本体に、前記ボタンを露出させるための開口部が形成されており、前記給水座には揺動ブロックがヒンジされており、前記揺動ブロックは、一端が前記ボタンに当接されており、他端が前記押しロッドの一端に当接されている。
【００１２】
本発明の他の実施形態においては、前記押しブロックと前記側方取り付け溝との間に押しブロック用ばねが配置されている。
【００１３】
本発明の他の実施形態においては、前記給水座と前記吐水部とが連結されており、前記給水座と前記吐水部との間に通水室が形成されており、前記給水座の給水口と前記通水室とが連通されており、前記分水盤が前記通水室に位置している。
【００１４】
本発明の他の実施形態においては、前記ガイド面が前記穿孔と同軸に配置された円弧面である。
【００１５】
このような構成とすることにより、本発明を使用する時には、ボタンを押圧して押しロッドを移動させるように駆動し、そして押しロッドが押しブロックを連動して移動させて、押しブロックがラチェットを回動させるように押し、ラチェットが回動すると、分水盤がラチェットと同期に回動する。これによって、水路の切替を行う。ボタンの押圧が終わると、第一復帰ばねの作用により押しロッド及び押しブロックが逆方向に移動して初期位置に戻る。
【発明の効果】
【００１６】
本発明によれば以下の効果が得られる。（１）押しブロックが移動する際、押しブロックの柱体が前記ガイド面に押し付けられているため、ガイド面が押しブロックをガイドして押しブロックがガイド面に沿って移動することができ、押しブロックがラチェットにガイド面方向に沿って力しか作用しない。このように、ガイド面の配置により押しブロックがラチェットのラチェット歯と係止するとともにラチェットを連動して回動させて、チェットが動かないことを回避することができ、本発明の切替機能が安定になる。さらに、前記ガイド面が押しブロックに対して位置を制限し押しブロックとラチェットとの相対位置を制御することができる。このように、押しブロックが移動してラチェットのラチェット歯を係止する過程において、ガイド面により押しブロックとラチェットとの摩擦を回避することができ、本発明の使用寿命が長くなる。（２）前記分水盤の底部には、第一の一方向ガイドレールが配置されており、前記吐水部の頂部には第一の一方向ガイドレールと一方向に噛合する第二の一方向ガイドレールが配置されている。第一の一方向ガイドレールと第二の一方向ガイドレールとの係合により分水盤が一方向しか回動できない。このように、押しブロックが初期位置に戻るときにラチェットを連動して逆方向に回動させるようなことを回避することができる。
【図面の簡単な説明】
【００１７】
【図１】本発明の分解図である。
【図２】本発明の給水座の構成を示す図である。
【図３】本発明の押しロッドの構成を示す図である。
【図４】本発明の押しブロックの構成を示す図である。
【図５】本発明の吐水部の構成を示す図である。
【図６】本発明の分水盤の構成を示す図１である。
【図７】本発明の分水盤の構成を示す図２である。
【図８】本発明のボタンが初期状態にある様子を示す図である。
【図９】本発明のボタンが初期状態にある様子を示す断面図である。
【図１０】本発明のボタンが押圧状態にある様子を示す図である。
【図１１】本発明のボタンが押圧状態にある様子を示す断面図である。
【図１２】従来のシングルボタン切替シャワーヘッドが押圧状態にある様子を示す図である。
【発明を実施するための形態】
【００１８】
以下、図面を参照しながら、本発明の好ましい実施形態を詳細に説明する。
【００１９】
図１〜図１１に示したように、本発明のボタン切替式シャワーヘッド装置は、シャワーヘッド本体１、給水座２、ボタン３、押しロッド４、押しブロック５、復帰ばね６、ラチェット７、分水盤８及び吐水部９を含む。
【００２０】
具体的には、前記シャワーヘッド本体１は、相互に連結されたヘッド部１１及びハンドル部１２を備えており、前記ヘッド部１１は底部が開口する収容室１１１が形成されており、前記収容室１１１の底部に形成された開口は前記シャワーヘッド本体１の吐水端であり、前記ハンドル部１２は中空構造であり、その内部には収容室１１１に連通された連結孔１２１が形成されており、前記連結孔１２１に給水管１３が貫通されており、給水管１３の、収容室から離れる一端は前記シャワーヘッド本体１の給水端となり、前記給水端には、シャワーホースに連結するための螺着部１３１を形成してもよい。
【００２１】
前記吐水部９には、少なくとも二つの機能水室９１が配置されており、各機能水室９１の給水口９１１は吐水部９の上面に円周状に並ぶように形成されている。前記吐水部９が、係止方式でシャワーヘッド本体１の収容室１１１の底部開口に連結されてもよいし、螺合方式でシャワーヘッド本体１の収容室１１１の底部開口に連結されてもよい。
【００２２】
前記給水座２は、シャワーヘッド本体１の収容室１１１に固定されているとともに吐水部９の上方に位置している。給水座２には、上下に貫通する穿孔２１及びシャワーヘッド本体１の給水端に連通された給水口２２が配置されており、前記給水座２の上面には、穿孔２１に近接する側にガイド面２３１を有するガイド溝２３が配置されており、前記ガイド面２３１が穿孔２１と同軸に配置された円弧面とすることができる。給水口２２とシャワーヘッド本体１の給水端とを連通するように、前記給水管１３と給水座２の給水口２２とが挿着連結されている。ネジｄを介して前記給水座２を吐水部９に連結させることで給水座２をシャワーヘッド本体１に固定することができ、前記給水座２と吐水部９との間に、給水口２２に連通する通水室が形成されている。前記給水座２は、係止方式または螺合方式で吐水部９に連結されてシャワーヘッド本体１に固定されてもよい。前記給水座２を吐水部９に連結することでシャワーヘッド本体１に固定することに限定されないが、前記給水座２をシャワーヘッド本体１の収容室１１１の内壁に直接連結することでシャワーヘッド本体１に固定してもよい。
【００２３】
前記ラチェット７は、穿孔２１と同軸に給水座２の上面に回動自在に配置されており、前記分水盤８は、給水座２と吐水部９との間に回動自在に配置されているとともに、穿孔２１を貫通する回転軸８１を介してラチェット７と同軸に連結されており、分水盤８には各機能水室９１の給水口９１１と移動可能に連通する分水口８２が配置されており、前記分水口８２は対称になるように二つ配置されることができる。
【００２４】
前記押しロッド４は、給水座２の上面に移動可能に配置されており、押しロッド４には側方取り付け溝４１が形成されており、押しロッド４を初期位置に戻るように駆動するため、前記復帰ばね６は、押しロッド４と給水座２との間に配置されている。前記押しブロック５は、側方取り付け溝４１に挿入されて、ラチェット７のラチェット歯７２と係止するように移動し、押しブロック５はガイド溝２３に係合されたガイド柱５１を備え、前記ガイド柱５１は、側壁が前記ガイド面２３１に移動可能に当接されている。このように、ガイド面２３１の作用により、押しブロック５がガイド面２３１に沿って移動することができる。前記給水座２の上面にはストッパ２４が配置されており、前記押しロッド４の一方側には、柱体４２１が形成されたバンプ４２が配置されており、前記復帰ばね６は、前記柱体４２１に外嵌されており、復帰ばね６の両端がそれぞれバンプ４２及びストッパ２４に押し付けられている。前記給水座２の上面には前記押しロッド４を進退自在に挿入させるためのガイド孔２５が配置されている。このように、ガイド孔２５によって押しロッド４の移動をガイドして、押しロッド４を所定の方向に沿って移動させる。前記押しブロック５と側方取り付け溝４１との間に押しブロック用ばね５３が配置されている。押しブロック用ばね５３が押しブロック５に弾性力を付勢することによって、押しブロック５のガイド柱５１をガイド面２３１に安定に当接させるように確保することができる。
【００２５】
前記ボタン３がシャワーヘッド本体１に移動可能に配置されているとともに、押しロッド４と連動するように該押しロッド４と連結されており、ボタン３を押圧することで押しロッド４を移動させるように駆動する。具体的には、前記ボタン３が給水座２にヒンジされており、シャワーヘッド本体１に、ボタン３を露出させるための開口部１４が形成されてユーザーがボタン３を押圧することができる。前記給水座２には揺動ブロック２６がヒンジされており、揺動ブロック２６は、一端がボタン３に当接されており、他端が押しロッド４の一端に当接されている。このように、ボタン３が揺動ブロック２６を介して押しロッド４を移動させるように駆動することができる。
【００２６】
本発明を容易に理解するために、以下に本発明のメカニズムを説明する。
【００２７】
本発明によれば、使用の際、ユーザーがボタン３を押圧し、ボタン３が揺動ブロック２６を押してそれを順方向に枢動させる。揺動ブロック２６が復帰ばね６を圧縮させるように押しロッド４を押してそれを順方向に移動させるとともに、押しブロック５を連動して順方向に移動させることにより押しブロック５がラチェット７を順方向に回動させるように該ラチェット７を押す。ラチェット７が順方向に回動すると、分水盤８を同期に回動させて水路の切替を行う。押しブロック５のガイド柱５１がガイド溝２３に係合されたら、水路の切替が完了する。押しが終わると、復帰ばね６の復帰力により、押しロッド４及び押しブロック５が逆方向に移動して初期位置に戻り、押しロッド４が初期位置に戻るとともに、揺動ブロック２６を逆方向に枢動させるようにそれを押し、揺動ブロック２６の逆方向の枢動によって、ボタン３を押してそれを逆方向に移動させて初期位置に戻させる。押しブロック５が移動する際、押しブロック５のガイド柱５１の側壁が前記ガイド面２３１に当接されているため、ガイド面２３１が押しブロック５をガイドして、前記押しブロック５が前記ガイド面２３１に沿って移動し、これによって、押しブロック５がラチェット７にガイド面２３１に沿って力しか作用しない。ガイド面２３１が穿孔２１と同軸に配置された円弧面である場合、押しブロック５がラチェット７にラチェット７の接線方向に沿う力を加える。このように、ガイド面２３１の配置によって押しブロック５がラチェット７のラチェット歯７２を係止してラチェット７を連動して回動させることができ、押しブロック５がラチェット７に径方向にそって力を作用することが抑えられ、ラチェット７が動かないことを回避することができる。このように、本発明の切替機能が安定になる。さらに、前記ガイド面２３１は、押しブロック５とラチェット７の相対位置を制御するように、押しブロック５に対して位置を制限する。これにより、押しブロック５がラチェット７のラチェット歯７２と係止しながら移動する際、ガイド面２３１により押しブロック５とラチェット７とが互いに擦れ合うことを回避することができ、本発明は使用寿命が長くなる。
【００２８】
更に、押しブロック５が初期位置に戻るときにラチェット７を連動して逆方向に回動させることを防止するため、前記分水盤８の底部には、第一の一方向ガイドレールが配置されており、前記給水座２の頂部には第一の一方向ガイドレールと一方向に噛合する第二の一方向ガイドレールが配置されている。第一の一方向ガイドレールと第二の一方向ガイドレールの係合により分水盤８が一方向にしか回動できない。このように、押しブロック５が初期位置に戻るときにラチェット７を連動して逆方向に回動させることを防止することができる。具体的には、前記第一の一方向ガイドレールは、分水盤８の底面に円周状に並ぶように形成された複数の第一斜歯８３を含み、前記第二の一方向ガイドレールは、吐水部９の上面に円周状に並ぶように形成されているとともに、複数の第一斜歯８３と一方向に噛合する複数の第二斜歯９２を含む。前記分水盤８の中央には回転軸８１が配置されており、回転軸８１の上部に扁平柱８１１が形成されており、前記ラチェット７の中央には、扁平柱８１１を挿入するための扁平孔７１が形成されている。扁平柱８１１が扁平孔７１に遊嵌するため、扁平柱８１１が扁平孔７１に上下移動でき分水盤８が給水座２に対して上下移動することが可能となる。前記扁平孔７１と扁平柱８１１とが周方向に位置規制されているため、ラチェット７が分水盤８を連動して同期に回動させる。扁平柱８１１が扁平孔７１から離脱することを防止するように、前記扁平柱８１１の上部には、扁平孔７１の縁部に引掛けるための係止爪８１２が形成されている。前記分水盤８と給水座２との間に調整ばね８４が配置されている。これによって、分水盤８を吐水部９に当接させることを確保でき、第一斜歯８３と第二斜歯９２との噛合を確保できる。前記調整ばね８４が回転軸８１に外嵌されており、調整ばね８４の両端がそれぞれ分水盤８及び給水座２に押し付けられている。
【００２９】
上記の実施形態および図面は、本発明の製品形態およびデザインを限定するものではない。本発明の特許請求の範囲及び精神から逸脱することなく、当業者によれば、適切な変更または改良は行うことできる。
【符号の説明】
【００３０】
シャワーヘッド本体１
ヘッド部１１
収容室１１１
ハンドル部１２
連結孔１２１
給水管１３
螺着部１３１
開孔部１４
給水座２
穿孔２１
給水口２２
ガイド溝２３
ガイド面２３１
ストッパ２４
ガイド孔２５
揺動ブロック２６
ボタン３
押しロッド４
側方取り付け溝４１
バンプ４２
柱体４２１
押しブロック５
ガイド柱５１
取付柱５２
押しブロック用ばね５３
復帰ばね６
ラチェット７
扁平孔７１
ラチェット歯７２
分水盤８
回転軸８１
扁平柱８１１
係止爪８１２
分水口８２
第一斜歯８３
調整ばね８４
吐水部９
機能水室９１
給水口９１１
第二斜歯９２
ネジｄ
ボタン１’
押しロッド２’
押しブロック３’
第一ばね４’
ラチェット５’
第二ばね６’
【図１】
2020018829.tif 000003
【図２】
2020018829.tif 000004
【図３】
2020018829.tif 000005
【図４】
2020018829.tif 000006
【図５】
2020018829.tif 000007
【図６】
2020018829.tif 000008
【図７】
2020018829.tif 000009
【図８】
2020018829.tif 000010
【図９】
2020018829.tif 000011
【図１０】
2020018829.tif 000012
【図１１】
2020018829.tif 000013
【図１２】
2020018829.tif 000014